(57)【要約】【課題】光ファイバをクランプした状態で光ファイバ同士の調心を可能とし、円滑に風防カバーを開閉することができる光ファイバ融着接続機を提供すること。【解決手段】突き合わせ接続される光ファイバの突合せ部を開閉自在に覆う風防カバーと、風防カバーの開閉動作と連動して回動すると共に、風防カバーと異なる回動軸を有し、各光ファイバをＶ溝２１ｃに押圧するクランプアーム２４とを備え、突合せ部において光ファイバを融着接続する光ファイバ融着接続機。クランプアーム２４及び移動ステージ２１を、光ファイバと共に少なくとも光ファイバの軸方向に移動自在に支持する支持部材２２を設けた。【選択図】        図３
2005164792.tif 000002
【特許請求の範囲】
【請求項１】
突き合わせ接続される光ファイバの突合せ部を開閉自在に覆う風防カバーと、
前記風防カバーの開閉動作と連動して回動すると共に、前記風防カバーと異なる回動軸を有し、前記各光ファイバを位置決めする移動ステージに設けた溝に、前記光ファイバを押圧するクランプアームとを備え、
前記突合せ部において光ファイバを融着接続する光ファイバ融着接続機において、
前記クランプアーム及び前記移動ステージを、前記光ファイバと共に少なくとも前記光ファイバの軸方向に移動自在に支持する支持部材を設けたことを特徴とする光ファイバ融着接続機。
【請求項２】
前記風防カバーは、前記クランプアーム及び当該風防カバーと異なる回動軸を有し、当該風防カバーと前記クランプアームとの間を連結して当該風防カバーの開閉動作と連動して回動する中間部材を備え、
該中間部材は、前記クランプアームとの連結部に、前記クランプアームに設けた連結部材が係合し、当該連結部材の互いに直交する３軸方向への動きを許容すると共に、前記連結部材を所定の軌道に沿って案内する案内部と、前記連結部材を磁力によって吸着する磁石とを有することを特徴とする請求項１に記載の光ファイバ融着接続機。
【請求項３】
前記磁石は、前記案内部における前記連結部材の動きを所定の軌道に規制することを特徴とする請求項２に記載の光ファイバ融着接続機。
【発明の詳細な説明】
【技術分野】
【０００１】
本発明は、光ファイバを融着接続する光ファイバ融着接続機に関するものである。
【背景技術】
【０００２】
従来、光ファイバを融着接続するときには、気中放電による放電熱を利用し、対向配置した光ファイバの夫々をクランプで対応する移動ステージに設けた溝に押圧すると共に、クランプした光ファイバの端部を突き合わせ、突合せ部で光ファイバ同士を溶融させて接続している。このとき、気中放電のアークが外乱によって揺らぐと光ファイバの適切な融着接続が妨げられることから、風防カバーと呼ばれるカバーを用いて突合部の周囲を覆っている。このとき、融着接続の作業に伴って風防カバーの開閉やクランプによる光ファイバの押圧操作を伴うが、クランプを支持するクランプアームや風防カバーの操作が独立しており、一連の操作が煩雑なことから風防カバーの動きとクランプアームの動きとを連動させた光ファイバクランプ機構が提案されている（例えば、特許文献１参照。）。
【０００３】
【特許文献１】特開２０００−２８８４２号公報
【発明の開示】
【発明が解決しようとする課題】
【０００４】
ところで、光ファイバ融着接続機においては、近年、接続対象となる光ファイバの種類が多くなり、例えば、コア径の異なる異径ファイバ同士の接続等、種々の接続態様が要求されるようになってきたことから、光ファイバをクランプした状態で光ファイバを軸合わせする際の調心可能な範囲を大きくすること、特に、光ファイバの軸方向に沿った調心範囲を２倍以上に大きくすることが求められている。このため、調心の際にクランプアームが移動ステージと共に動く必要があった。しかし、前記風防カバーの開閉動作と連動して回動すると共に、前記風防カバーと異なる回動軸を有するクランプアームを備えた上記光ファイバクランプ機構や従来の光ファイバ融着機においては、風防カバーを閉じて光ファイバをクランプした状態において移動ステージとクランプアームとが一緒に動いて調心できる構造のものはなかった。このように、従来の調心範囲では、クランプアームに軸支されたクランプで十分に移動して追従できたが、可動範囲の拡大に伴い十分に追従できなくなった。
【０００５】
本発明は、上記の問題点に鑑みてなされたものであって、光ファイバをクランプした状態で光ファイバ同士の調心を可能とし、円滑に風防カバーを開閉することができる光ファイバ融着接続機を提供することを目的とする。
【課題を解決するための手段】
【０００６】
上述した課題を解決し、目的を達成するために、本発明の光ファイバ融着接続機は、突き合わせ接続される光ファイバの突合せ部を開閉自在に覆う風防カバーと、前記風防カバーの開閉動作と連動して回動すると共に、前記風防カバーと異なる回動軸を有し、前記各光ファイバを位置決めする移動ステージに設けた溝に、前記光ファイバを押圧するクランプアームとを備え、前記突合せ部において光ファイバを融着接続する光ファイバ融着接続機において、前記クランプアーム及び前記移動ステージを、前記光ファイバと共に少なくとも前記光ファイバの軸方向に移動自在に支持する支持部材を設けたことを特徴とする。
【０００７】
また、請求項２に係る光ファイバ融着接続機は、上記の発明において、前記風防カバーは、前記クランプアーム及び当該風防カバーと異なる回動軸を有し、当該風防カバーと前記クランプアームとの間を連結して当該風防カバーの開閉動作と連動して回動する中間部材を備え、該中間部材は、前記クランプアームとの連結部に、前記クランプアームに設けた連結部材が係合し、当該連結部材の互いに直交する３軸方向への動きを許容すると共に、前記連結部材を所定の軌道に沿って案内する案内部と、前記連結部材を磁力によって吸着する磁石とを有することを特徴とする。
【０００８】
また、請求項３に係る光ファイバ融着接続機は、上記の発明において、前記磁石は、前記案内部における前記連結部材の動きを所定の軌道に規制することを特徴とする。
【発明の効果】
【０００９】
本発明にかかる光ファイバ融着接続機は、光ファイバをクランプした状態で光ファイバ同士を調心することができるという効果を奏する。
【発明を実施するための最良の形態】
【００１０】
以下に、本発明にかかる光ファイバ融着接続機の実施例を図面に基づいて詳細に説明する。図１は、本発明にかかる光ファイバ融着接続機の全体構成を示す斜視図である。図２は、図１に示す光ファイバ融着接続機において、風防カバー、クランプアーム及びミラーアームを除去し、ホルダ台を中心とする要部を示す斜視図である。
【実施例】
【００１１】
融着接続機１は、図１に示すように、本体２、風防カバー３及びディスプレイ４を備え、本体２において突き合せた光ファイバＦを風防カバー３で覆い、光ファイバＦの突合せ部をディスプレイ４でモニタしながら融着接続する。本体２は、ホルダ台１１、移動ステージ２１、クランプアーム３１、ミラーアーム２７、放電電極３０を備えており、本体２の内部には、融着接続に伴う各部分の作動シーケンスを記憶させた制御装置が設けられている。風防カバー３は、本体２に設けた２ヶ所のブラケット６（図２参照）のそれぞれに回動軸３ａによって回動自在に支持されている。また、融着接続機１は、融着接続後に接続部を補強する熱収縮型のスリーブを加熱処理する補強スリーブ処理部１００を有している。
【００１２】
ホルダ台１１は、図１及び図２に示すように、本体２に対向配置され、融着接続する光ファイバＦを把持したホルダ１７が載置される。このとき、光ファイバＦは、端末から被覆が所定長さ除去され、互いに対向させて配置される。ホルダ台１１は、載置部１１ａの後部側に支持部１１ｂが形成され、載置部１１ａ側がハウジング１３の筒部１３ａに回転自在に支持されている。
【００１３】
移動ステージ２１は、対向配置される各ホルダ台１１ごとに配置され、図３に示すように、略四角形状の本体２１ａから支柱２１ｂが上方へ伸び、支柱２１ｂの上端に光ファイバＦを位置決めする略Ｖ字状の溝（以下、「Ｖ溝」という）２１ｃが形成されている。移動ステージ２１は、第１支持部材２２に図中Ｘ，Ｙで示す２軸方向に移動自在に支持されている。第１支持部材２２は、クランプアーム２４及び移動ステージ２１を、光ファイバＦをクランプした状態で光ファイバＦと共に後述する３軸方向に調心移動自在に支持する部材で、Ｘレバー２２ａ、Ｙレバー２２ｂ、Ｘアクチュエータ２２ｃ、Ｙアクチュエータ２２ｄが設けられると共に、下部両側にはＸ，Ｙ方向に直交するＺ方向（図３の紙面表裏方向）への動きを案内するリニアガイド２２ｅが取り付けられている。移動ステージ２１は、Ｘアクチュエータ２２ｃがＸレバー２２ａの端部を押圧すると、Ｘレバー２２ａが支点を中心として回動してＸ軸方向に移動し、Ｙアクチュエータ２２ｄがＹレバー２２ｂの端部を押圧すると、Ｙレバー２２ｂが支点を中心として回動してＹ軸方向に移動する。一方、移動ステージ２１は、第１支持部材２２を図示しないアクチュエータによって押圧すると、リニアガイド２２ｅに案内されてＺ軸方向へ、設計により、例えば、５ｍｍ或いは１０ｍｍと大きく移動可能とされる。このとき、光ファイバ融着接続機１においては、各光ファイバＦをクランプアーム２４によって移動ステージ２１のＶ溝２１ｃに押圧すると、対向配置された光ファイバＦは、一般的なサイズを有する従来の光ファイバの場合には、Ｘ，Ｙ方向の位置が合致し、殆ど調整する必要がない程度の精度の下に設計されている。このため、光ファイバ融着接続機１は、少なくとも第１支持部材２２と、第１支持部材２２を駆動するアクチュエータとを備えていればよい。
【００１４】
クランプアーム２４は、図１，図３に示すように、風防カバー３と異なる回動軸２４ａによって一端が第２支持部材２５に回動自在に支持され、アーム部２４ｂの上端に板状の取付部２４ｃが設けられている。取付部２４ｃは、下面にブラケット２４ｄが設けられ、ブラケット２４ｄの下端には移動ステージ２１のＶ溝２１ｃに係合して光ファイバＦを押圧する押圧片２４ｅ，２４ｇが取り付けられている。また、取付部２４ｃは、先端側側面に係合ピン２４ｆが設けられている。係合ピン２４ｆは、光ファイバＦの軸方向に沿った調心の際におけるクランプアーム２４のＺ軸方向への移動距離を考慮した長さに設定する。第２支持部材２５は、移動ステージ２１のブラケット２１ｄに取り付けられる支持部２５ａを有し、クランプアーム２４を回動自在に支持している。第２支持部材２５は、支持部２５ａの上にハウジング１３が設置される。これにより、第１支持部材２２がＺ軸方向へ移動すると、光ファイバＦをクランプした状態で、移動ステージ２１，クランプアーム２４及びハウジング１３が光ファイバＦと共にＺ軸方向へ一体に移動することができる。また、ホルダ台１１（光ファイバＦ）を回転させるとき、光ファイバＦのガラス部又は／及び被覆部を押圧片２４ｅとＶ溝２１ｃとで把持したままでは光ファイバＦの回転がうまくいかないことがあるので、アクチュエータ２５ｂでアーム部２４ｂを適宜押し上げて、光ファイバＦを回転可能とする。更に、ブラケット２４ｄも同様に押し上げることができるものであってよい。
【００１５】
ミラーアーム２７は、図１に示すように、２本のアーム２７ａと支持板２７ｂとを有し、風防カバー３及びクランプアーム２４と異なる回動軸２７ｃによって２本のアーム２７ａが本体２に回動自在に支持され、風防カバー３とクランプアーム２４とを連結して風防カバー３の開閉動作と連動して回動する中間部材である。ミラーアーム２７は、融着接続される光ファイバＦの突合せ部を照明するＬＥＤ等の光源の光を反射するミラー２７ｄが支持板２７ｂに設けられている。支持板２７ｂは、幅方向両側に連結部材２８が取り付けられ、先端近傍の側面には係合ピン２７ｅが突設されている。また、ミラーアーム２７は、先端近傍に磁石２７ｆが設けられ、ミラーアーム２７を閉じたときに先端側が本体２の台２ａに設けた磁石２ｂとの磁力によって水平状態に保持される。ミラーアーム２７は、図２に示す取付部材７の両側に２本のアーム２７ａが回動軸２７ｃによって回動自在に連結されている。
【００１６】
連結部材２８は、図４に示すように、支持板２７ｂの側面にねじ止めされ、係合ピン２４ｆが係合するガイド部２８ａが設けられると共に、ガイド部２８ａに隣接した位置に永久磁石２９が取り付けられている。ガイド部２８ａは、係合ピン２４ｆの互いに直交する３軸方向への動きを許容すると共に、係合ピン２４ｆを所定の軌道に沿って案内する。このため、ガイド部２８ａは、図４に示す一点鎖線で分けられるように、係合ピン２４ｆを所定の軌道に沿って案内する幅の狭い案内領域Ａgと、係合ピン２４ｆの動きを許容する広い面積を有する移動領域Ａmとを有している。ガイド部２８ａにおける移動領域Ａmの面積を広くしたのは、突き合わせた光ファイバＦのＸ，Ｙ軸方向における調心のために係合ピン２４ｆが移動できるスペースを確保するためである。
【００１７】
一方、永久磁石２９は、ガイド部２８ａに係合した係合ピン２４ｆを磁力によって吸着し、ガイド部２８ａにおける係合ピン２４ｆの動きを所定の軌道に規制することで、風防カバー３を閉じる際にクランプアーム２４が落下することに起因した不快な衝突音の発生を防止している。即ち、クランプアーム２４は、連結部材２８のガイド部２８ａにおいてミラーアーム２７と連結され、図４に示すように、ガイド部２８ａは係合する係合ピン２４ｆよりも広い空間を有している。このため、風防カバー３を閉じると、風防カバー３と連動するクランプアーム２４が閉方向（反時計方向）へ回動する。このとき、クランプアーム２４に永久磁石２９が設けられていないとする。すると、係合ピン２４ｆは、風防カバー３に連動したクランプアーム２４の閉方向への回動により、ガイド部２８ａの幅の狭い案内領域Ａgを通過すると、上方の移動領域Ａm側へ移動し、図４に点線矢印で示すような軌跡を描いて移動する。そして、クランプアーム２４は、係合ピン２４ｆがガイド部２８ａの移動領域Ａm側に存在する状態で暫くの間は反時計方向へ回動する。しかし、自己の重心位置を超えると、クランプアーム２４は、それ自体の重量によって自然落下し、図４において反時計方向へ落下状態で回動する。これにより、係合ピン２４ｆがガイド部２８ａの永久磁石２９側の壁に衝突し、不快な衝突音が発生してしまう。
【００１８】
しかし、本発明の光ファイバ融着接続機１は、クランプアーム２４連結部材２８に永久磁石２９が取り付けられている。このため、風防カバー３を閉じるとき、クランプアーム２４においては、係合ピン２４ｆが、図４に実線矢印で示すように、永久磁石２９の磁力に吸引されて動きが所定の軌道に規制される。即ち、係合ピン２４ｆは、案内領域Ａg内を永久磁石２９側の壁面に沿って移動し、落下することがないので、不快な衝突音は発生しない。
【００１９】
また、係合ピン２７ｅは、風防カバー３に設けたガイド部材５と協働して風防カバー３の開閉動作に伴うミラーアーム２７の円滑な回動を保証している。ガイド部材５は、図５に示すように、ミラーアーム２７側の側面に係合ピン２７ｅが係合する略Ｌ字形のガイド溝５ａが形成されている。
【００２０】
放電電極３０は、図２に示すように、２つのハウジング１３の中間に光ファイバＦの軸と直交する方向に２本対向配置され、対向配置された光ファイバＦの端部を気中放電によって融着接続する。ここで、光ファイバＦを加熱融着する方法としては、ガスバーナー等による火焔によるものや、ヒーター等の電気的によるものがある。
【００２１】
光ファイバ融着接続機１は以上のように構成され、光ファイバＦを融着接続するときには、先ず、先端を突出させて光ファイバＦをホルダ１７で把持し、光ファイバＦの先端から被覆を除去し、クリーニングした後、所定長さに切断する。このようにして端末処理が済んだら、風防カバー３を開き、各ホルダ台１１の上に光ファイバＦを把持したホルダ１７をそれぞれセットする。これにより、２本の光ファイバＦは、対向配置された２本の放電電極３０間に配置されることになる。
【００２２】
次に、風防カバー３を閉じてホルダ台１１の上部を覆う。これにより、ホルダ１７の先端から突出した各光ファイバＦは、押圧片２４ｅによって移動ステージ２１のＶ溝２１ｃに押圧され、互いに所定間隔をもって対向配置される。また、光ファイバＦは、後部側が防カバー３から光ファイバ融着接続機１の外部へと延出している。
【００２３】
そして、操作キーを押すと、放電電極３０に電力が供給され、発生する気中放電によって対向配置された２本の光ファイバＦが先端部分で融着接続される。この一連の融着接続の状態は、ディスプレイ４に表示される。作業者は、ディスプレイ４の映像から融着接続の完了を確認した後、風防カバー３を開き、ホルダ１７から融着接続された光ファイバＦを外して一連の接続作業が完了する。
【００２４】
このとき、光ファイバ融着接続機１は、クランプアーム２４及び移動ステージ２１を光ファイバＦと共に少なくとも光ファイバＦの軸方向に移動自在に支持する第１支持部材２２を有している。このため、光ファイバ融着接続機１は、光ファイバＦを移動ステージ２１に押圧した状態で、クランプアーム２４，移動ステージ２１及びホルダ台１１を支持するハウジング１３が光ファイバＦと共に少なくとも光ファイバＦの軸方向に移動することができる。このため、光ファイバ融着接続機１は、光ファイバＦを移動ステージ２１に押圧した状態であっても、光ファイバＦに過剰な応力を付与することなく、光ファイバＦをＺ軸方向に予め設計した所望の距離移動させたり、Ｘ，Ｙ軸方向に移動させたりして適正な調心作業を実行することができる。ここで、図６〜図９は、本発明を説明するため、ブラケット２４ｄを省略している。
【００２５】
また、光ファイバ融着接続機１においては、風防カバー３は、クランプアーム２４及び風防カバー３と異なる回動軸を有し、風防カバー３とクランプアーム２４との間を連結して風防カバー３の開閉動作と連動して回動するミラーアーム（中間部材）２７を備え、ミラーアーム２７は、クランプアーム２４との連結部に、クランプアーム２４に設けた係合ピン２４ｆが係合し、クランプアーム２４の互いに直交する３軸方向への動きを案内するガイド部２８ａと、係合ピン２４ｆを磁力によって吸着する永久磁石２９とを有している。このため、光ファイバ融着接続機１においては、風防カバー３の開閉に際し、クランプアーム２４が、風防カバー３の開閉動作と円滑に連動して、回動軸２４ａを中心として以下のように回動する。即ち、図６に示すように、風防カバー３が全開状態のときには、係合ピン２４ｆがガイド部２８ａの幅の狭い案内領域Ａgに位置している。このとき、ミラーアーム２７の係合ピン２７ｅは、風防カバー３に設けたガイド部材５に形成されたガイド溝５ａの基部に位置している。
【００２６】
そして、風防カバー３が閉じられると、風防カバー３，ミラーアーム２７及びクランプアーム２４が、係合ピン２４ｆ，２７ｅによって互いに連結されているので、風防カバー３の閉動作と連動してクランプアーム２４及びミラーアーム２７が、それぞれ回動軸２４ａ，２７ｃを中心として回動する。この回動により、図７に示すように、風防カバー３が例えば水平状態に対して７３．５度まで傾斜すると、係合ピン２４ｆは、ガイド部２８ａに案内されて幅の狭い案内領域Ａgの永久磁石２９に近接した位置へ、磁力の影響により永久磁石２９側の壁面へ吸着された状態で移動する。このとき、ミラーアーム２７の係合ピン２７ｅは、風防カバー３に設けたガイド部材５に形成されたガイド溝５ａの中間へ移動している。
【００２７】
次に、風防カバー３が更に閉じられても、風防カバー３の閉動作と連動してクランプアーム２４及びミラーアーム２７が、それぞれ回動軸２４ａ，２７ｃを中心として回動する。この回動により、図８に示すように、風防カバー３が例えば水平状態に対して４３．５度まで傾斜しても、係合ピン２４ｆは、ガイド部２８ａに案内されて幅の狭い案内領域Ａgを永久磁石２９に吸着された状態で壁面に沿って移動する。このとき、ミラーアーム２７の係合ピン２７ｅは、ガイド溝５ａのＬ字形の曲がり角付近へ移動している。
【００２８】
そして、風防カバー３が完全に閉じて、本体２に被せられると、図９に示すように、押圧片２４ｅが、移動ステージ２１のＶ溝２１ｃに係合して作用する反力によってクランプアーム２４が僅かに持ち上げられる。この結果、係合ピン２４ｆは、ガイド部２８ａにおける永久磁石２９の磁力に抗して永久磁石２９側の壁面から離れ、幅の狭い案内領域Ａgへと移動し、案内領域Ａg内で浮き上がった状態となる。このように、クランプアーム２４は、係合ピン２４ｆが連結部材２８のガイド部２８ａの壁面へ永久磁石２９によって吸着された状態で回動することから、不快な落下音の発生やＶ溝２１ｃと落下による押圧片２４ｅとの急激な衝突を生ずることはない。このとき、ミラーアーム２７は、図示のように先端が台２ａと当接して水平となるが、前記の状態から水平状態に移動する間に、係合ピン２７ｅは、ガイド溝５ａのＬ字形の曲がり角付近を通過して幅広の部分を移動し、ガイド溝５ａの外部へと移動している。一方、風防カバー３を開くときには、風防カバー３と連動してミラーアーム２７及びクランプアーム２４が上記と逆に作動する。
【００２９】
以上のように、光ファイバ融着接続機１においては、風防カバー３，ミラーアーム２７及びクランプアーム２４が、係合ピン２４ｆ，２７ｅによって互いに連結されているので、風防カバー３の閉動作と連動してクランプアーム２４及びミラーアーム２７が、それぞれ回動軸２４ａ，２７ｃを中心として円滑に回動する。しかも、光ファイバ融着接続機１においては、クランプアーム２４は、先端部分がミラーアーム２７との連結部によって支持された状態で風防カバー３の開閉動作と連動して回動するので、不快な落下音の発生やＶ溝２１ｃと押圧片２４ｅとの衝突に伴う損傷を生ずることはない。
【００３０】
尚、本発明の光ファイバ融着接続機は、上記実施例に限定されるものではなく、例えば、係合ピン２４ｆを磁石或いは磁石が取り付けられたものとし、連結部材２８を磁性体としたり、永久磁石２９を鉄等の磁性部材２９としたりすることで、係合ピン２４ｆを連結部材２８や磁性部材２９に吸着させてもよい。また、移動ステージ２１に設ける溝は、Ｖ溝２１ｃに限らず、略Ｕ字状の溝や階段状に形成した溝等であってもよい。更に、連結部材２８に形成するガイド部２８ａは、係合ピン２４ｆが係合し、クランプアーム２４による不快な落下音の発生やＶ溝２１ｃと落下による押圧片２４ｅとの急激な衝突に伴う損傷を回避できれば、図４に示す形状に限定されるものではない。また、本発明は、ホルダ台１１が回転しない光ファイバ融着接続機にも適用できることは言うまでもない。
【産業上の利用可能性】
【００３１】
以上のように、本発明にかかる光ファイバ融着接続機は、光ファイバをクランプした状態で光ファイバ同士の調心を可能とした光ファイバ融着接続機に有用であり、特に、風防カバーの開閉動作と連動して回動するクランプアームを備えた光ファイバ融着接続機に適している。
【図面の簡単な説明】
【００３２】
【図１】本発明にかかる光ファイバ融着接続機の全体構成を示す斜視図である。
【図２】図１に示す光ファイバ融着接続機において、風防カバー、クランプアーム及びミラーアームを除去し、ホルダ台を中心とする要部を示す斜視図である。
【図３】支持部材、移動ステージ及びクランプアームの右側面図である。
【図４】ミラーアームに設けられる連結部材とクランプアームの係合ピンとの係合状態を図１の光ファイバ融着接続機の右側から見た右側面図である。
【図５】風防カバーに設けたガイド部材のガイド溝を図１の光ファイバ融着接続機の左側から見た側面図である。
【図６】風防カバーが全開状態におけるクランプアームとミラーアームとの状態を示す要部側面図である。
【図７】風防カバーの閉動作に伴う第１の中間状態におけるクランプアームとミラーアームとの状態を示す要部側面図である。
【図８】風防カバーの閉動作に伴う第２の中間状態におけるクランプアームとミラーアームとの状態を示す要部側面図である。
【図９】風防カバーが全閉状態におけるクランプアームとミラーアームとの状態を示す要部側面図である。
【符号の説明】
【００３３】
１            光ファイバ融着接続機
２            本体
２ａ          台
２ｂ          磁石
３            風防カバー
３ａ          回動軸
４            ディスプレイ
５            ガイド部材
５ａ          ガイド溝
６            ブラケット
７            取付部材
１１          ホルダ台
１１ａ        載置部
１１ｂ        支持部
１３          ハウジング
１３ａ        筒部
１７          ホルダ
２１          移動ステージ
２１ａ        本体
２１ｂ        支柱
２１ｃ        Ｖ溝
２１ｄ        ブラケット
２２          第１支持部材
２２ａ        Ｘレバー
２２ｂ        Ｙレバー
２２ｃ        Ｘアクチュエータ
２２ｄ        Ｙアクチュエータ
２２ｅ        リニアガイド
２４          クランプアーム
２４ａ        回動軸
２４ｂ        アーム部
２４ｃ        取付部
２４ｄ        ブラケット
２４ｅ        押圧片
２４ｆ        係合ピン
２４ｇ        押圧片
２５          第２支持部材
２５ａ        支持部
２５ｂ        アクチュエータ
２７          ミラーアーム
２７ａ        アーム
２７ｂ        支持板
２７ｃ        回動軸
２７ｄ        ミラー
２７ｅ        係合ピン
２７ｆ        磁石
２８          連結部材
２８ａ        ガイド部
２９          永久磁石
３０          放電電極
１００        補強スリーブ処理部
Ａg           案内領域
Ａm           移動領域
【図１】
2005164792.tif 000003
【図２】
2005164792.tif 000004
【図３】
2005164792.tif 000005
【図４】
2005164792.tif 000006
【図５】
2005164792.tif 000007
【図６】
2005164792.tif 000008
【図７】
2005164792.tif 000009
【図８】
2005164792.tif 000010
【図９】
2005164792.tif 000011